(57)【要約】【課題】小物収納具を、所望時、携帯電話機に着脱自在に装着することができること。また、小型で薄い板状の小物、キップの代用となるプリペイドカード等を差込及び抜き取り自在に小物収納具に収納することができること。【解決手段】携帯電話機Ｙの背面に着脱自在に装着される基板部にカード状印刷物又は小型で薄い鏡或いはレンズを差込むことができる差込口を有する偏平状収納部を１又は２個形成したことを特徴とする携帯電話機用小物収納具。【選択図】　図１
2004120046.tif 000002
【特許請求の範囲】
【請求項１】
携帯電話機Ｙの背面に着脱自在に装着される基板部にカード状印刷物又は小型で薄い鏡或いはレンズを差込むことができる差込口を有する偏平状収納部を１又は２個形成したことを特徴とする携帯電話機用小物収納具。
【請求項２】
請求項１に於いて、基板部には、携帯電話機Ｙに差込自在に嵌合する嵌合空間が設けられ。該嵌合空間は、基板部の内壁面と、基板部に連設する左右の側壁部の内壁面と、これらの側壁部にそれぞれ連設する左右の係合爪部によって形成されていることを特徴とする携帯電話機用小物収納具。
【請求項３】
請求項１に於いて、第２収納部の差込口は、一方側と他方側にそれぞれ設けられていることを特徴とする携帯電話機用小物収納具。
【請求項４】
請求項１に於いて、小型で薄い鏡１３は、合成樹脂材で形成された矩形状の枠部２０と、この枠部２０内に固定的に設けられた１又は２の鏡２１（２２）とから成り、前記枠部２０の一端部側には、基板部の収納部の内壁に対向的に設けられた係合バネと係脱する小突起２４，２４が設けられていることを特徴とする携帯電話機用小物収納具。
【請求項５】
請求項１に於いて、基板部には、係脱手段の一方が固定的に設けられ、該係脱手段は携帯電話機Ｙに固定された他方の係脱手段に着脱自在に係脱することを特徴とする携帯電話機用小物収納具。
【発明の詳細な説明】
【０００１】
【発明の属する技術分野】
本発明は、携帯電話機用小物収納具に関する。
【０００２】
【従来の技術】
従来、この種の一例は、特開２０００−８３７３１号公報に記載されている。この公報記載の携帯用鏡コンパクトの特徴を簡単に説明すると、「鏡コンパクトは、容器本体と蓋体とから成り、前記容器本体の内壁面には携帯用鏡を固定的に収納する凹所を形成し、一方、蓋体の内壁面には、写真やシート状の印刷物を貼り付けることができる内壁面を形成し、容器本体の一側面には携帯電話機の背面に鏡コンパクトを固定するための接着層或いは自己粘着層を設けたこと」である。
【０００３】
この実施例は、外出の際に普段使用する携帯電話機と鏡コンパクト（特に女性が使用する場合が多い）とを接着層或いは自己粘着層を介して一体的に合体させた点に実用的な面白さがある。
【０００４】
しかしながら、上記構成に於いては、鏡コンパクトから薄型の鏡を簡単に取り出せない、又は写真やシート状の印刷物を簡単に外せないという問題点があった。また、鏡コンパクトを携帯電話機の背面に接着層を介して一体的に合体させる構成であるため、所望時、鏡コンパクトを携帯電話機から取り外すことが著しく困難であるという問題点があった。もちろん、鏡コンパクトを携帯電話機の背面に自己粘着層を介して一体的に合体させる実施例の場合には、所望時には自由に取り外すことが可能である。しかし、自己粘着層である故、繰返して脱着させることにはその使用自体に限界があった。
【０００５】
【発明が解決しようとする課題】
本発明の第１の目的は、外出の際或いは外出してから帰宅までの間に所持した小物を収納することができる小物収納具を、所望時、携帯電話機に着脱自在に装着することができることである。また第２の目的は、小型で薄い板状の小物（片手で持つことができる小型で薄い鏡や同様のレンズ）、キップの代用となるプリペイドカードを差込及び抜き取り自在に小物収納具に収納することができることである。さらに、第３の目的は、携帯電話機に装着したまま前記第２の目的を達成することができることである。第４の目的は、装着部が破損しない限り、何度も繰り返し脱着使用することができることである。
【０００６】
【課題を解決するための手段】
本発明の携帯電話機用小物収納具は、携帯電話機Ｙの背面に着脱自在に装着される基板部６にカード状印刷物又は小型で薄い鏡或いはレンズを差込むことができる差込口を有する偏平状収納部１０，１１を１又は２個形成したことを特徴とする。
【０００７】
【発明の実施の形態】
図１乃至５図は、本発明の第１実施例を示す各説明図である。図１乃至図５に於いて、１は携帯電話機Ｙ（ＰＨＳも含む）の操作部の背面、２は携帯電話機の操作部の側面、３は携帯電話機の操作部の正面である。
【０００８】
一方、Ｘは携帯電話機用の小物収納具で、この小物収納具Ｘは、やや肉厚のある基板部６と、この基板部６の左右の縁部に交差方向に連設する左右一対の側壁部７，７と、これらの側壁部の端部にそれぞれ内側に指向して形成された左右一対の突条係合爪部８，８と、前記基板部の内壁面６ａと、基板部６に連設する左右の側壁部７，７の内壁面７ａ，７ａと、これらの側壁部７，７にそれぞれ連設する左右の係合爪部８，８によって形成された嵌合空間９とから成る。そして、前記基板部６には１又は２個の偏平状収納部１０，１１が上下に形成されている。
【０００９】
しかして、偏平状収納部１０，１１は、本実施例では、基板部６の外壁面６ｂ寄り部位の内部（上方）に形成されたカード状印刷物用の第１収納部１０と、この第１収納部１０と基板部６の内壁面６ａとの間に隔壁部１８を介して下方に形成された薄い鏡用の第２収納部１１とから成る。そして、前記第１収納部１０及び第２収納部１１には、カード状印刷物１２と薄い鏡１３をそれぞれ差込むことができる差込口１４，１５が形成されている。
【００１０】
カード状印刷物１２用の差込口１４は、嵌合空間９の一端部開口がある基板部６の段差状一端部に形成され、一方、薄い鏡用の差込口１５は、一方の側壁７がある基板部６の側壁部に形成されている。
【００１１】
また差込口１４の中央部にはカード状印刷物１２を簡単に引出すための半円弧状第１切欠部１６が、一方、差込口１５の中央部には薄い鏡１３を簡単に引出すためのコ字型状の第２切欠部１７がそれぞれ形成されている。なお、カード状印刷物１２の一例としては、電車のキップとして用いられるプリペイドカードを挙げることができる。
【００１２】
ところで、前記薄い鏡１３は、本実施例では、合成樹脂材で形成された矩形状の枠部２０と、この枠部２０内に固定的に設けられた１ｍｍ程度の鏡２１と、この鏡２１の反対側に重ねられた１ｍｍ程度の拡大鏡２２とから成り、前記枠部２０の一端部側には小突起２４，２４が設けられている。これらの小突起２４，２４は、基板部６の第２収納部１１の内壁１１ａに対向的に設けられた係合バネ（例えば板バネ）２５，２５と係脱可能である。
【００１３】
なお、係合バネ２５は、一端部が適宜に固定され、鉤状の他端部は、弾性変形機能及び弾性復帰機能を有する。また左右の側壁部７，７は、携帯電話機の操作部の形状や大きさに対応し、例えば他端部に至るにしたがってやや湾曲状に形成されている。
【００１４】
上記構成に於いて、所望時、携帯電話機Ｙに小物収納具Ｘを装着させたい場合には、例えば携帯電話機Ｙの操作部に小物収納具Ｘの嵌合部を嵌め合わせるようにする。すなわち、小物収納具Ｘの嵌合部９の一端部開口と携帯電話機Ｙの操作部の後端部が一致したならば、小物収納具Ｘを差し込むようにする。
【００１５】
そうすると、携帯電話機Ｙの操作部（背面１、側面２）と小物収納具Ｘ（基板部６の内壁面６ａ，側壁部７、係合爪部８）とが互いにスライド嵌合する。両者が一体的に嵌合すると、携帯電話機Ｙの操作部の背面１と小物収納具Ｘの基板部６の内壁面６ａとがフイット状態に対向し、また携帯電話機Ｙの操作部は小物収納具Ｘの左右の係合爪部８，８で係止される。
【００１６】
このような嵌合状態で、今仮に、カード状印刷物１２を第１収納部１０に差込、又は抜き出したい場合には、図１の矢印Ａ方向から第１差込口１４を利用する。一方、小型で薄い鏡１３を第２収納部１１に差込、又は抜き出したい場合には、図１の矢印Ｂ方向から第２差込口１５を利用する。
【００１７】
ところで、カード状印刷物１２を第１差込口１４から抜き出す時は、第１切欠部１６を利用し、カード状印刷物１２の縁部を摘むようにして引抜く。また薄い鏡１３を第２差込口１５から引抜く時は、同様に第２切欠部１７を利用し、鏡１３の枠部２０に形成された引出し用突起２０ａに指をあてがう。
【００１８】
なお、薄い鏡１３を第２収納部１１に差込んだ時は、係合バネ２５，２５のバネ力により、薄い鏡１３が支持される。したがって、小型で薄い鏡１３は簡単に抜け落ちない。
【００１９】
【実施例】
本発明の実施例に於いて、薄い鏡１３は、小型で薄いレンズであっても良い、以下、この欄では、第２実施例乃至第４実施例について説明する。なお、これらの実施例の説明にあたって、第１実施例と同一又は同様（機能が同一）の部分には、同一又は同様の符号を付し、重複する説明を省略する。
【００２０】
図６及び図７に示す第２実施例の小物収納具Ｘ１に於いて、第１実施例と主に異なる点は、小物収納具Ｘ１の薄い鏡用の第２収納部１１Ａの差込口１５Ａ，１５Ａを左右一対の側壁部７，７に設けたことである。
【００２１】
上記構成に於いては、図７で示すように、薄い鏡１３を左右何れの差込口１５Ａ，１５Ａからでも差し込むことができる。このようにすると、使い勝手が良い。
【００２２】
図８及び図９に示す第３実施例の小物収納具Ｘ２に於いて、第１実施例と異なる点は、携帯電話機Ｙに対する小物収納具Ｘ２の脱着構造である。
【００２３】
この小物収納具Ｘ２の基板部６Ｂと第１実施例の基板部６とを比較すると明らかなように、基板部６Ｂには、基板部、基板部に連設する左右の側壁部、これらの側壁部にそれぞれ連設する左右の係合爪部によって形成されている嵌合空間を有していない反面、係脱手段３０の一方３０ａが固定的に設けら、該一方の係脱手段３０ａは携帯電話機Ｙに固定された他方の係脱手段３０ｂに着脱自在に係脱する。係脱手段３０ａの一例としては、基板部６Ｂの装着側面の端部にそれぞれ設けられたマジックファスナー（登録商標）のメス係合部が用いられている。
【００２４】
図１０に示す第４実施例の小物収納具Ｘ３第１実施例と異なる点は、第３実施例と同様に基板部６Ｃには、嵌合空間を有していない反面、係脱手段３０Ａの一方３０ａが固定的に設けら、該一方の係脱手段３０ａは携帯電話機Ｙに固定された他方の係脱手段３０ｂに着脱自在に係脱する。係脱手段３０ａの一例としては、基板部６Ｃの装着側面の端部にそれぞれ固定的に設けられたメスホックが用いられている。
【００２５】
【発明の効果】
以上の説明から明らかなように、本発明の小物収納具にあっては、次に列挙するような効果がある。
（１）外出の際或いは外出してから帰宅までの間に所持した小物を収納することができる小物収納具を、所望時、携帯電話機に着脱自在に装着することができる。したがって、携帯電話機を持ち歩くことで、日常生活で良く使用される小型で薄型の鏡やレンズ、又は／及びカード状印刷物を常に一緒に持ち歩くことができる。
（２）小型で薄い板状の小物、キップの代用となるプリペイドカード等を差込及び抜き取り自在に小物収納具に収納することができる。特に電車用のプリペイドカードは頻々に出し入れする小物であるから、携帯電話機に嵌合した小物収納具に出し入れ自在に収納できるので、非常に便利である。
（３）側壁部、係合爪部、係脱手段などの装着部が破損しない限り、何度も繰り返し脱着使用することができる。
（４）請求項４に記載の発明は、小型で薄い鏡は基板部の収納部から簡単に抜け落ちない。
【図面の簡単な説明】
図１乃至図５は本発明の第１実施例を示す各概略説明図。図６及び図７は本発明の第２実施例を示す各概略説明図。図８及び図９は本発明の第３実施例を示す各概略説明図。図１０は本発明の第４実施例を示す概略説明図。
【図１】第１実施例の分解説明図。
【図２】正面からの説明図。
【図３】平面からの説明図。
【図４】図２の４−４線拡大断面図。
【図５】小物収納具から小型で薄い鏡を引出している時の説明図。
【図６】第２実施例の分解説明図。
【図７】小物収納具に薄い鏡を差し込む時の説明図。
【図８】第３実施例の分解説明図。
【図９】図８の９−９線拡大断面図。
【図１０】第４実施例の断面からの説明図。
【符号の説明】
Ｘ〜Ｘ３…小物収納具、Ｙ…携帯電話機、１…携帯電話機の背面、２…側面、３…正面、６，６Ｂ，６Ｃ…基板部、７、７…側壁部、８、８…突条係合爪部、９…嵌合空間、１０…第１収納部、１１，１１Ａ…第２収納部、１２…カード状印刷物、１３…薄い鏡、１４…差込口、１５，１５Ａ，１５Ａ…差込口、１６…第１切欠部、１７…第２切欠部、１８…隔壁部、２０…枠部、２１…鏡、２２…拡大鏡、２４，２４…小突起、２５…係合バネ，３０，３０Ａ…係脱手段。
【図１】
2004120046.tif 000003
【図２】
2004120046.tif 000004
【図３】
2004120046.tif 000005
【図４】
2004120046.tif 000006
【図５】
2004120046.tif 000007
【図６】
2004120046.tif 000008
【図７】
2004120046.tif 000009
【図８】
2004120046.tif 000010
【図９】
2004120046.tif 000011
【図１０】
2004120046.tif 000012